(57)【要約】【課題】コストが安い、回路構成が容易な、多色表示体を提供する。【解決手段】行列状に配列された複数の発光素子からなる表示体３〜８を複数個有し、前記複数の発光素子のオンとオフによって所定の表示をする表示手段２と、メッセージ情報が入力される入力手段１４と、制御手段２１とを備え、前記制御手段２１は前記表示手段２に対し、メッセージ表示を行わせ、前記表示体３〜８は、行方向又は列方向又は斜め方向に沿って配列された複数の発光素子群からなり、各発光素子群は赤色から紫色までの各々の特定の色を放射する。【選択図】        図１
2005062705.tif 000002
【特許請求の範囲】
【請求項１】
行列状に配列された複数の発光素子からなる表示体を複数個有し、前記複数の発光素子のオンとオフによって所定の表示をする表示手段と、メッセージ情報が入力される入力手段と、制御手段とを備え、前記制御手段は前記表示手段に対し、メッセージ表示を行わせ、前記表示体は、行方向又は列方向又は斜め方向に沿って配列された複数の発光素子群からなり、各発光素子群は赤色から紫色までの各々の特定の色を放射する事を特徴とする表示装置。
【請求項２】
前記表示体は各々、赤色、橙色、黄色、緑色、水色、青色、紫色を放射する各発光素子群からなる事を特徴とする請求項１の表示装置。
【請求項３】
前記水色を放射する発光素子群は、各ドットが緑色発光素子と青色発光素子からなる事を特徴とする請求項２の表示装置。
【請求項４】
前記紫色を放射する発光素子群は、各ドットが赤色発光素子と青色発光素子とからなる事を特徴とする請求項２の表示装置。
【請求項５】
前記発光素子群に隣接して、白色を放射する発光素子群を設けた事を特徴とする請求項１の表示装置。
【請求項６】
前記表示体は、赤色から紫色までの各々の特定の色を放射する第１発光素子群と、該群に隣接する第１白色発光素子群と、該群に隣接し、赤色から紫色までの各々の特定の色を放射する第２発光素子群と、該群に隣接する第２白色発光素子群とからなる事を特徴とする請求項１の表示装置。
【発明の詳細な説明】
【技術分野】
【０００１】
本発明は表示装置に関する。
【背景技術】
【０００２】
従来、この種の装置は例えば、特許文献１に示されている。この特許文献１の図１によると、行方向に沿って第１発光単位１４が配列され、行方向に沿って第２発光単位１５が配列されている。
【特許文献１】特開２００３−１３１５９４号公報
【発明の開示】
【発明が解決しようとする課題】
【０００３】
この装置では、第１発光単位１４は、Ｒ，Ｇ，Ｂ（赤色ＬＥＤと、緑色ＬＥＤと、青色ＬＥＤ）とからなる。そして、マルチカラーを表示するためには、上記３個のＬＥＤを適宜、点灯させている。しかし、各３個のＬＥＤを用いる第１発光単位１４は、行方向に沿って全部が配列されているため、多数のＬＥＤが必要となり、コストが高くなる第１の欠点がある。
【０００４】
更に、第１発光単位１４は３個ずつのＬＥＤを、各々の行電極に接続する必要があるので、全体の装置として配線が密となり、回路構成が複雑となる、第２の欠点がある。そこで本発明はこの様な従来の欠点を考慮し、コストが安く、回路構成が容易な、多色表示体を提供する。
【課題を解決するための手段】
【０００５】
上記課題を解決するために、請求項１の本発明では、行列状に配列された複数の発光素子からなる表示体を複数個有し、前記複数の発光素子のオンとオフによって所定の表示をする表示手段と、メッセージ情報が入力される入力手段と、制御手段とを備え、前記制御手段は前記表示手段に対し、メッセージ表示を行わせ、前記表示体は、行方向又は列方向又は斜め方向に沿って配列された複数の発光素子群からなり、各発光素子群は赤色から紫色までの各々の特定の色を放射する。
【０００６】
請求項２の本発明では、前記表示体は各々、赤色、橙色、黄色、緑色、水色、青色、紫色を放射する各発光素子群からなる。
【０００７】
請求項３の本発明では、前記水色を放射する発光素子群は、各ドットが緑色発光素子と青色発光素子からなる。
【０００８】
請求項４の本発明では、前記紫色を放射する発光素子群は、各ドットが赤色発光素子と青色発光素子とからなる。
【０００９】
請求項５の本発明では、前記発光素子群に隣接して、白色を放射する発光素子群を設けた。
【００１０】
請求項６の本発明では、前記表示体は、赤色から紫色までの各々の特定の色を放射する第１発光素子群と、該群に隣接する第１白色発光素子群と、該群に隣接し、赤色から紫色までの各々の特定の色を放射する第２発光素子群と、該群に隣接する第２白色発光素子群とからなる。
【発明の効果】
【００１１】
請求項１の本発明では、行列状に配列された複数の発光素子からなる表示体を複数個有し、複数の発光素子のオンとオフによって所定の表示をする表示手段と、メッセージ情報が入力される入力手段と、制御手段とを備え、制御手段は表示手段に対し、メッセージ表示を行わせ、表示体は、行方向又は列方向又は斜め方向に沿って配列された複数の発光素子群からなり、各発光素子群は赤色から紫色までの各々の特定の色を放射する。上記構成の様に、各発光素子群は赤色から紫色までの各々の特定の色を放射するので、従来の様にＲ，Ｇ，ＢのＬＥＤを１ドット毎に有する必要がないので、コストが安くなる。
【００１２】
請求項２の本発明では、表示体は各々、赤色、橙色、黄色、緑色、水色、青色、紫色を放射する各発光素子群からなる。上記構成の様に、表示体は７色を表示するので、虹に似たカラー表示を行うことができる。
【００１３】
請求項３の本発明では、水色を放射する発光素子群は、各ドットが緑色発光素子と青色発光素子からなる。この様に、緑色発光素子と青色発光素子を設けることにより、水色を放射するので、従来の様に、Ｒ，Ｇ，Ｂを必要とせず、コストが安くなり、回路構成も簡素化できる。
【００１４】
請求項４の本発明では、紫色を放射する発光素子群は、各ドットが赤色発光素子と青色発光素子とからなる。この様に、赤色発光素子と青色発光素子を設けることにより、紫色を放射するので、従来の様に、Ｒ，Ｇ，Ｂを必要とせず、コストが安くなり、回路構成も簡素化できる。
【００１５】
請求項５の本発明では、発光素子群に隣接して、白色を放射する発光素子群を設けた。この様に、赤色から紫色までの色を放射する発光素子群の隣に、白色を放射するので、白色部分が目立ち、明瞭なカラー表示が得られる。
【００１６】
請求項６の本発明では、表示体は、赤色から紫色までの各々の特定の色を放射する第１発光素子群と、該群に隣接する第１白色発光素子群と、該群に隣接し、赤色から紫色までの各々の特定の色を放射する第２発光素子群と、該群に隣接する第２白色発光素子群とからなる。上記構成により、虹色と白色と虹色と白色とに配置することにより、カラーの表現が豊富となり、観察者が注意を引き易くなる。
【発明を実施するための最良の形態】
【００１７】
以下に、図１と図２に従い、本発明を実施するための最良の形態に係る表示装置１を概略説明する。図１は、この表示装置１のブロック図である。図２は、表示装置１の表示手段２における、メッセージ表示の１例を示す。
【００１８】
これらの図において、表示体３を構成する回路基板上には、１６個の行電極と、１６個の列電極（いずれも図示せず）が、形成されている。各発光素子（例えば、赤色の発光ダイオードであるが、図示せず）のアノードは、Ｎ列目（Ｎ＝１〜１６）の列電極に接続されている。各発光素子のカソードはＭ行目（Ｍ＝１〜１６）の行電極に接続されている。この様にして、複数の発光素子は、行列状に配列されている。
【００１９】
１６個の行電極は例えば、１個の定電流ドライバ（ＩＣ等からなるが、図示せず）の各出力端子に接続されている。定電流ドライバの入力側には、クロック信号ＣＫと、ラッチ信号ＬＴと、データ信号ｄ等が入力される。
【００２０】
１６個の列電極は例えば、１個の点灯制御ドライバ（ＩＣ等からなるが、図示せず）の各出力端子に接続されている。点灯制御ドライバの入力側には、スキャン（走査）信号Ｓが入力される。この点灯制御ドライバは、１列目の列電極から１６列目の列電極までを、順次、走査する様に、構成されている。
【００２１】
定電流ドライバに、データ信号ｄ（シリアルデータ）が入力されると、定電流ドライバは、１行目の行電極から１６行目の行電極に対し、パラレルにデータを出力する。上記構成により、シリアルデータに従って、複数個の発光素子はオンとオフすることにより、所定の表示を行う。上記定電流ドライバと、上記点灯制御ドライバとにより、ドライバＤ１は構成されている。
【００２２】
表示体４は表示体３と同一の構成であり、表示体３の左側に近接して配置されている。表示体５は表示体３と同一の構成であり、表示体４の左側に近接して配置されている。表示体６は表示体３と同一の構成であり、表示体５の左側に近接して配置されている。表示体７は表示体３と同一の構成であり、表示体６の左側に近接して配置されている。表示体８は表示体３と同一の構成であり、表示体７の左側に近接して配置されている。この様にして、表示体３，４，５，６，７，８は一直線状に配置されている。
【００２３】
ドライバＤ２，Ｄ３，Ｄ４，Ｄ５，Ｄ６は共に、ドライバＤ１と同一の構成である。各ドライバＤ２，Ｄ３，Ｄ４，Ｄ５，Ｄ６は、各表示体４，５，６，７，８を駆動する様に設けられている。以上の表示体３，４，５，６，７，８と、ドライバＤ１，Ｄ２，Ｄ３，Ｄ４，Ｄ５，Ｄ６等により、表示手段２は構成されている。
【００２４】
ＩＣカード９は、パーソナルコンピュータ等によりコードデータ等が書き込まれたものである。カード制御回路１０は、入力されたコードデータを、Ｉ／Ｏポート１１に対し、入力するものである。
【００２５】
リモコン１２は例えば、テンキー等の入力部と、変換部と、発光部（共に図示せず）等からなる。リモコン１２は、使用者（ユーザ）により、入力部に所定の入力がなされるとその入力に従う入力信号を重畳した赤外線信号を出力するものである。
【００２６】
リモコン制御回路１３は例えば、受光部と、変換部と、増幅部と、フィルタなどからなる。受光部は、リモコン１２から放射された赤外線信号を受光電流に変換する。変換部は受光電流から、必要な信号を抽出する。上記信号は増幅部により増幅され、フィルタによりフィルタリングされ、入力信号として、Ｉ／Ｏポート１１に対し、与えられる。この様にして、リモコン１２は入力部１４に対し、入力信号を出力するものである。
【００２７】
これらのカード制御回路１０と、リモコン制御回路１３等により、入力手段１４が構成される。前述した様に、入力手段１４を構成するカード制御回路１０には、コードデータ（即ち、メッセージ情報）が入力される。また、必要に応じて、リモコン１２を介して、入力手段１４を構成するリモコン制御回路１３に、メッセージ情報が入力されても良い。
【００２８】
制御部１６は例えばＣＰＵ等からなる。ＲＯＭ１７はリードオンリーメモリであり、制御部１６の制御プログラムを記憶しており、制御部１６に接続されている。また、ＲＯＭ１７は、外字データも記憶している。
【００２９】
Ｉ／Ｏポート１１は制御部１６に接続され、カード制御回路１０に接続され、リモコン制御回路１３に接続されている。フォントメモリ１８は、各文字のコードデータに対応するフォントデータを記憶しており、制御部１６に接続されている。また、フォントメモリ１８は、コードデータを持たないフォントデータ、例えば数字とか、℃のデータも記憶している。
【００３０】
ＲＡＭ１９はランダムアクセスメモリであり、制御部１６に接続されている。また、ＲＡＭ１９は、データを加工するためのワークエリアを有している。制御回路２０はゲートアレイ等からなり、制御部１６に接続され、表示手段２にも接続されている。制御回路２０は表示手段２に対して、クロック信号ＣＫと、ラッチ信号ＬＴと、データ信号ｄと、走査信号Ｓを出力する。
【００３１】
これらのＩ／Ｏポート１１と、制御部１６と、ＲＯＭ１７と、フォントロム１８と、ＲＡＭ１９と、制御回路２０等により、制御手段２１が構成されている。これらの制御手段２１と、表示手段２と、入力手段１４などにより、表示装置１は構成されている。
【００３２】
次に、主に、図３の平面図に従い、表示体８を説明する。表示体３，４，５，６，７の構成は、表示体８と同一である。図３において、発光素子群２２，２３，２４，２５、２６，２７，２８，２９，３０，３１，３２，３３，３４，３５，３６，３７は、列方向Ｘ１−Ｘ２に沿って配列されている。
【００３３】
回路基板（図示せず）の第１列において、例えば１６個の赤色発光ダイオード２２ａが等間隔に配置されたものが、発光素子群２２である。即ち、発光素子群２２は赤色を放射するものである。各赤色発光ダイオード２２ａのアノードは、１列目の列電極に接続されカソードはＭ行目（Ｍ＝１〜１６）の行電極に接続されている。
【００３４】
回路基板の第２列において、例えば１６個の橙色発光ダイオード（図示せず）が等間隔に配置されたものが、発光素子群２３であり、橙色を放射する。
【００３５】
回路基板の第３列において、例えば１６個の黄色発光ダイオード（図示せず）が等間隔に配置されたものが、発光素子群２４であり、黄色を放射する。
【００３６】
回路基板の第４列において、例えば１６個の緑色発光ダイオード（図示せず）が等間隔に配置されたものが、発光素子群２５であり、緑色を放射する。
【００３７】
回路基板の第５列において、例えば１６個のドット（図示せず）が等間隔に配置されたものが、発光素子群２６であり、水色を放射する。上述した各ドットは、１個の緑色発光素子（たとえば、緑色発光ダイオード）と、１個の青色発光素子（例えば、青色発光ダイオード）からなる。
【００３８】
上記各ドットを構成する１個の緑色発光素子のアノードおよび１個の青色発光素子のアノードは、５列目の列電極に接続されている。上記緑色発光素子のカソードおよび上記青色発光素子のカソードは、Ｍ行目（Ｍ＝１〜１６）の行電極に接続されている。
【００３９】
回路基板の第６列において、例えば１６個の青色発光ダイオード（図示せず）が等間隔に配置されたものが、発光素子群２７であり、青色を放射する。
【００４０】
回路基板の第７列において、例えば１６個のドット（図示せず）が等間隔に配置されたものが、発光素子群２８であり、紫色を放射する。上述した各ドットは、１個の赤色発光素子（たとえば、赤色発光ダイオード）と、１個の青色発光素子（例えば、青色発光ダイオード）からなる。
【００４１】
上記各ドットを構成する１個の赤色発光素子のアノードおよび１個の青色発光素子のアノードは、７列目の列電極に接続されている。上記赤色発光素子のカソードおよび上記青色発光素子のカソードは、Ｍ行目（Ｍ＝１〜１６）の行電極に接続されている。
【００４２】
回路基板の第８列において、例えば１６個のドット（図示せず）が等間隔に配置されたものが、発光素子群２９であり、白色を放射する。上述した各ドットは、１個の赤色発光素子と、１個の緑色発光素子と、１個の青色発光素子とからなる。
【００４３】
上記各ドットを構成する赤色発光素子のアノードおよび緑色発光素子のアノードおよび青色発光素子のアノードは、８列目の列電極に接続されている。上記赤色発光素子のカソードおよび上記緑色発光素子のカソードおよび上記青色発光素子のカソードは、Ｍ行目（Ｍ＝１〜１６）の行電極に接続されている。
【００４４】
回路基板（図示せず）の第９列において、例えば１６個の赤色発光ダイオード（図示せず）が等間隔に配置されたものが、発光素子群３０である。即ち、発光素子群３０は赤色を放射するものである。各赤色発光ダイオードのアノードは、９列目の列電極に接続されカソードはＭ行目（Ｍ＝１〜１６）の行電極に接続されている。
【００４５】
回路基板の第１０列において、例えば１６個の橙色発光ダイオード（図示せず）が等間隔に配置されたものが、発光素子群３１であり、橙色を放射する。
【００４６】
回路基板の第１１列において、例えば１６個の黄色発光ダイオード（図示せず）が等間隔に配置されたものが、発光素子群３２であり、黄色を放射する。
【００４７】
回路基板の第１２列において、例えば１６個の緑色発光ダイオード（図示せず）が等間隔に配置されたものが、発光素子群３３であり、緑色を放射する。
【００４８】
回路基板の第１３列において、例えば１６個のドット（図示せず）が等間隔に配置されたものが、発光素子群３４であり、水色を放射する。上述した各ドットは、１個の緑色発光素子（たとえば、緑色発光ダイオード）と、１個の青色発光素子（例えば、青色発光ダイオード）からなる。
【００４９】
上記各ドットを構成する１個の緑色発光素子のアノードおよび１個の青色発光素子のアノードは、１３列目の列電極に接続されている。上記緑色発光素子のカソードおよび上記青色発光素子のカソードは、Ｍ行目（Ｍ＝１〜１６）の行電極に接続されている。
【００５０】
回路基板の第１４列において、例えば１６個の青色発光ダイオード（図示せず）が等間隔に配置されたものが、発光素子群３５であり、青色を放射する。
【００５１】
回路基板の第１５列において、例えば１６個のドット（図示せず）が等間隔に配置されたものが、発光素子群３６であり、紫色を放射する。上述した各ドットは、１個の赤色発光素子（たとえば、赤色発光ダイオード）と、１個の青色発光素子（例えば、青色発光ダイオード）からなる。
【００５２】
上記各ドットを構成する１個の赤色発光素子のアノードおよび１個の青色発光素子のアノードは、１５列目の列電極に接続されている。上記赤色発光素子のカソードおよび上記青色発光素子のカソードは、Ｍ行目（Ｍ＝１〜１６）の行電極に接続されている。
【００５３】
回路基板の第１６列において、例えば１６個のドット（図示せず）が等間隔に配置されたものが、発光素子群３７であり、白色を放射する。上述した各ドットは、１個の赤色発光素子と、１個の緑色発光素子と、１個の青色発光素子とからなる。
【００５４】
上記各ドットを構成する赤色発光素子のアノードおよび緑色発光素子のアノードおよび青色発光素子のアノードは、１６列目の列電極に接続されている。上記赤色発光素子のカソードおよび上記緑色発光素子のカソードおよび上記青色発光素子のカソードは、Ｍ行目（Ｍ＝１〜１６）の行電極に接続されている。以上の部品により、この表示体８は構成されている。
【００５５】
次に、この表示体８の特徴を以下にまとめる。表示体８は、列方向Ｘ１−Ｘ２に沿って配列された複数の発光素子群２２，２３，２４，２５，２６，２７，２８からなり、各発光素子群２２〜２８は赤色から紫色までの各々の特定の色を放射する。
【００５６】
即ち、表示体８は各々、赤色、橙色、黄色、緑色、水色、青色、紫色を放射する各発光素子群２２，２３，２４，２５，２６，２７，２８からなる。
【００５７】
また、発光素子群２２〜２８に隣接して、白色を放射する発光素子群２９を設けた。発光素子群３０〜３６に隣接して、白色を放射する発光素子群３７を設けた。
【００５８】
更に、表示体８は、赤色から紫色までの各々の特定の色を放射する第１発光素子群３８（２２〜２８からなる）と、該群３８に隣接する第１白色発光素子群２９と、該群２９に隣接し、赤色から紫色までの各々の特定の色を放射する第２発光素子群３９と、該群３９に隣接する第２白色発光素子群３７とからなる。
【００５９】
なお、上記説明では、表示体８は列方向Ｘ１−Ｘ２に沿って配列された複数の発光素子群２２〜３７を有していた。しかし、本発明はこれに限定されず、表示体３〜８は、行方向Ｙ１−Ｙ２又は、斜め方向（行方向Ｙ１−Ｙ２に斜交する方向）に沿って配列された複数の発光素子群２２〜３７を有しても良い。
【００６０】
次に、図１ないし図３に従い、表示装置１における、メッセージ表示を説明する。例えば、ユーザがリモコン１２の表示部において、１を押し、０を押したとする。この時、「メッセージ表示モード」が選択される。
【００６１】
リモコン１２は、リモコン制御回路１３とＩ／Ｏポート１１を介して、制御部１６に対し、所定の入力信号ａを出力する。この時、制御部１６は、入力信号ａに従って、フォントロム１８から、所定のフォントデータの組み合わせ（即ち、メッセージ情報）を取り込む。
【００６２】
制御部１６は上記メッセージ情報に従って、ＲＡＭ１９のワークエリアにおいて、データ信号ｄを作成し、制御回路２０に対し、データ信号ｄを出力する。その後、制御回路２０は表示手段２に対し、データ信号ｄと、クロック信号ＣＫと、ラッチ信号ＬＴと、走査信号Ｓ等を出力する。
【００６３】
その結果、表示手段２はメッセージ表示、例えば「いらっしゃい」（図２を参照）をランニング表示させる。この様に、リモコン１２に所定の入力（たとえば、１と０）が選択的になされると、リモコン１２は制御手段２１に対し、入力信号ａを出力する。これにより、制御手段２１は表示手段２に対し、メッセージ表示を行わせる。
【００６４】
この時、表示体８では、例えば「い」が表示される。表示体８は、上述した様に、赤色から紫色までの特定の色を放射し、かつ、白色を放射するので、上記「い」の字は、豊富なカラー色にて表現される。
【図面の簡単な説明】
【００６５】
【図１】本発明を実施するための最良の形態に係る表示装置１のブロック図である。
【図２】この表示装置１の表示手段２における、メッセージ表示の１例である。
【図３】この表示手段２に用いられる表示体８の詳細な平面図である。
【符号の説明】
【００６６】
２  表示手段
３，４，５，６，７，８  表示体
１４  入力手段
２１  制御手段
【図１】
2005062705.tif 000003
【図２】
2005062705.tif 000004
【図３】
2005062705.tif 000005